(57)【要約】【課題】部品点数の増加を抑制しながら電動アクチュエータの放熱を好適に行うこと。【解決手段】投入されたメダルが通過するメダル通路を形成すると共に該メダル通路を通過するメダルを検出する通過メダル検出手段を備えたメダルセレクタにおいて、前記通過メダル検出手段よりも前記メダル通路の上流側に配置され、メダルが通過メダル前記検出手段に到達することを阻害する位置と、許容する位置とで変位可能に設けられた可動部材と、前記可動部材を変位させる電動アクチュエータと、前記電動アクチュエータを固定するための金属製のベース部材と、を備え、前記ベース部材が、前記メダル通路の一部を形成する通路壁形成部を備えたことを特徴とする。【選択図】図１３
2011098116.tif 000002
【特許請求の範囲】
【請求項１】
投入されたメダルが通過するメダル通路を形成すると共に該メダル通路を通過するメダルを検出する通過メダル検出手段を備えたメダルセレクタにおいて、
前記通過メダル検出手段よりも前記メダル通路の上流側に配置され、メダルが通過メダル前記検出手段に到達することを阻害する位置と、許容する位置とで変位可能に設けられた可動部材と、
前記可動部材を変位させる電動アクチュエータと、
前記電動アクチュエータを固定するための金属製のベース部材と、を備え、
前記ベース部材が、
前記メダル通路の一部を形成する通路壁形成部を備えたことを特徴とするメダルセレクタ。
【請求項２】
正規メダルと該正規メダルよりも小径の非正規メダルとを選別するメダルセレクタであって、
投入されたメダルが通過する上流側通路と、
前記上流側通路から分岐した、正規メダル用下流側通路及び非正規メダル用下流側通路と、
前記上流側通路を通過する正規メダルを検出する正規メダル検出手段と、
前記上流側通路と、前記正規メダル用下流側通路及び前記非正規メダル用下流側通路と、の分岐点に配された選別部を有する可動部材と、
前記正規メダル検出手段の検出結果に基づいて前記選別部を変位させることにより、前記上流側通路を通過したメダルを前記正規メダル用下流側通路又は前記非正規メダル用下流側通路に導く電動アクチュエータと、
前記電動アクチュエータを固定するための金属製のベース部材と、を備え、
前記ベース部材が、
前記正規メダル用下流側通路又は前記非正規メダル用下流側通路のいずれか一方の少なくとも一部を形成する通路壁形成部を備えたことを特徴とするメダルセレクタ。
【請求項３】
前記通路壁形成部は、前記メダルの通過方向に延設されると共に、通路幅方向に互いに離間した複数条の凸部を備えたことを特徴とする請求項１又は２に記載のメダルセレクタ。
【請求項４】
前記通路壁形成部は、湾曲した通路を形成することを特徴とする請求項１乃至３のいずれか一方に記載のメダルセレクタ。
【請求項５】
前記上流側通路と前記正規メダル用下流側通路とは、上下方向のメダル通路を形成し、
前記通路壁形成部は前記正規メダル用下流側通路の少なくとも一部を形成すると共に、その下流側端部が湾曲していることを特徴とする請求項２に記載のメダルセレクタ。
【請求項６】
前記ベース部材が、前記可動部材を前記選別部が変位可能に支持する支持部を備えたことを特徴とする請求項１乃至５のいずれか１項に記載のメダルセレクタ。
【請求項７】
前記電動アクチュエータが、前記可動部材を一方向に付勢するソレノイドであり、
前記ベース部材が、前記可動部材を前記ソレノイドとは逆方向に常時付勢するバネの一端を係止する係止部を備えたことを特徴とする請求項６に記載のメダルセレクタ。
【請求項８】
請求項１乃至７のいずれか１項に記載のメダルセレクタを備えた遊技台。
【請求項９】
前記遊技台は、複数種類の絵柄が施され、回転駆動される複数のリールと、複数種類の入賞役の内部当選の当否を抽選により判定する抽選手段と、前記リールの回転を開始させるためのスタートスイッチと、各々の前記リールに対応して設けられ、前記リールの回転を個別に停止させるための停止スイッチと、前記抽選手段の抽選結果に基づいて、前記リールの停止制御を行うリール停止制御手段と、停止時の前記リールにより表示された前記絵柄の組合せが、予め定めた絵柄の組合せであるか否かに基づいて入賞を判定する入賞判定手段と、を備え、前記入賞判定の判定結果に基づいてメダルを払い出す遊技台であることを特徴とする請求項８に記載の遊技台。
【発明の詳細な説明】
【技術分野】
【０００１】
本発明は、スロットマシン（パチスロ）に代表される遊技台等に適用されるメダル（硬貨、コイン）を選別する装置に関し、メダルを選別するメダルセレクタ及びこのメダルセレクタを備えた遊技台に関する。
【背景技術】
【０００２】
スロットマシンに使用される正規メダルは、通常、その直径が２５ｍｍである。一方、ゲームセンター用ゲーム機に使用される正規メダルは、これよりも少し小さいサイズである（直径約２４ｍｍ）。このようなゲーム機用メダルがスロットマシンに使用できないように、スロットマシンには正規メダルよりも小径のメダルを排除するためのメダルセレクタが搭載されている（特許文献１及び２）。小径のメダルの排除原理は、基本的には、メダル通路の転動中に通路からメダルを脱落させるというものである。メダルセレクタには、また、メダルの通過を検出するセンサが設けられ、その検出結果により投入数がカウントされる。
【先行技術文献】
【特許文献】
【０００３】
【特許文献１】特開２００５−５２３９７号公報
【特許文献２】特許第４１８１１４０号公報
【発明の概要】
【発明が解決しようとする課題】
【０００４】
小径のメダルや非受付期間における正規メダルが、メダルの通過を検出するセンサに到達することを阻害するための機構には、ソレノイド等の電動アクチュエータが用いられる場合がある。電動アクチュエータは、その駆動により発熱するため、放熱処理が必要となる。このため、放熱用の部材を設けることが望ましいが部品点数が増加する。
【０００５】
本発明の目的は、部品点数の増加を抑制しながら電動アクチュエータの放熱を好適に行うことにある。
【課題を解決するための手段】
【０００６】
本発明によれば、投入されたメダルが通過するメダル通路を形成すると共に該メダル通路を通過するメダルを検出する通過メダル検出手段を備えたメダルセレクタにおいて、前記通過メダル検出手段よりも前記メダル通路の上流側に配置され、メダルが通過メダル前記検出手段に到達することを阻害する位置と、許容する位置とで変位可能に設けられた可動部材と、前記可動部材を変位させる電動アクチュエータと、前記電動アクチュエータを固定するための金属製のベース部材と、を備え、前記ベース部材が、前記メダル通路の一部を形成する通路壁形成部を備えたことを特徴とするメダルセレクタが提供される。
【０００７】
また、本発明によれば、正規メダルと該正規メダルよりも小径の非正規メダルとを選別するメダルセレクタであって、投入されたメダルが通過する上流側通路と、前記上流側通路から分岐した、正規メダル用下流側通路及び非正規メダル用下流側通路と、前記上流側通路を通過する正規メダルを検出する正規メダル検出手段と、前記上流側通路と、前記正規メダル用下流側通路及び前記非正規メダル用下流側通路と、の分岐点に配された選別部を有する可動部材と、前記正規メダル検出手段の検出結果に基づいて前記選別部を変位させることにより、前記上流側通路を通過したメダルを前記正規メダル用下流側通路又は前記非正規メダル用下流側通路に導く電動アクチュエータと、前記電動アクチュエータを固定するための金属製のベース部材と、を備え、前記ベース部材が、前記正規メダル用下流側通路又は前記非正規メダル用下流側通路のいずれか一方の少なくとも一部を形成する通路壁形成部を備えたことを特徴とするメダルセレクタが提供される。
【発明の効果】
【０００８】
本発明によれば、部品点数の増加を抑制しながら電動アクチュエータの放熱を好適に行うことができる。
【図面の簡単な説明】
【０００９】
【図１】本発明の一実施形態に係るスロットマシン１００の外観斜視図。
【図２】スロットマシン１００の制御部の回路ブロック図。
【図３】（ａ）は各リール（左リール１１０、中リール１１１、右リール１１２）に施される図柄の配列を平面的に展開して示した図、（ｂ）はスロットマシン１００の入賞役の種類の説明図。
【図４】主制御部メイン処理の流れを示すフローチャート。
【図５】メダルセレクタ３３６の配設位置を示す前面扉１０２の下部背面の周辺図。
【図６】メダルセレクタ３３６の斜視図（正面側）。
【図７】カバー部材１を省略したメダルセレクタ３３６の斜視図（正面側）。
【図８】メダルセレクタ３３６の背面図。
【図９】メダルセレクタ３３６の分解斜視図。
【図１０】（ａ）はカバー部材１を省略したメダルセレクタ３３６の正面図、（ｂ）は図１０（ａ）の線Ｘ−Ｘに沿うメダル検出センサ１８の断面図。
【図１１】メダルセレクタ３３６の動作説明図。
【図１２】状態Ｔ７の場合に可動部材１４に作用する力関係の説明図、
【図１３】選別ユニット２０の分解斜視図。
【図１４】（ａ）乃至（ｃ）は異なる方向から見たベース部材２３の斜視図。
【図１５】メダルセレクタ３３６によるメダルの選別動作の一連の流れの説明図である。
【図１６】（ａ）及び（ｂ）は選別ユニット２０の動作説明図。
【図１７】（ａ）乃至（ｅ）は可動部材２２の説明図。
【図１８】（ａ）及び（ｂ）は可動部材２２の配置の説明図。
【図１９】（ａ）乃至（ｃ）は選別部２２１に対するメダルＭの衝突態様の説明図、（ｄ）は選別部２２１によるメダルＭのセンタリング作用の説明図。
【図２０】不正行為防止の説明図。
【図２１】（ａ）乃至（ｃ）はセンサ１７〜１９、２５及び駆動信号のタイミング例を示すタイミングチャート。
【発明を実施するための形態】
【００１０】
＜全体構成＞
図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。メダル投入口１４１に投入されたメダルは、スロットマシン１００の内部に設けられた後述するメダルセレクタ３３６を通過し、正規メダルの選別がなされると共に、メダルの通過が検出される。
【００１７】
貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１８】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２１】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２２】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２３】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２４】
＜制御部＞
図２は、スロットマシン１００の制御部の制御部の回路構成について詳細に説明する。なお、同図は制御部の回路ブロック図を示したものである。スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２５】
＜主制御部＞
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。
【００２６】
この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。ＷＤＴ３１３はウォッチドッグタイマである。
【００２７】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する（後述する主制御部メイン処理を開始する）。
【００２８】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、後述するメダルセレクタ３３６のメダル検出センサ１７、１８及び回動検出センサ１９並びに変位検出センサ２５、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００２９】
スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３０】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３１】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３２】
主制御部３００は、リール装置１１０乃至１１２に設けたステッピングモータを駆動する駆動回路３２２を設けており、投入されたメダルを選別するメダルセレクタ３３６に設けたソレノイドを駆動する駆動回路３２４を設けており、メダル払出装置１８０に設けたモータを駆動する駆動回路３２６を設けており、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３３】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３４】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００３５】
＜副制御部＞
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００３６】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００３７】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００３８】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。
【００３９】
また、ＣＰＵ４０４は、出力インタフェースを介して第２副制御部５００へ信号の送受信を行う。スロットマシン１００の第２副制御部５００では、液晶表示装置１５７やシャッタ１６３の制御を行う。こうして遊技の進行に合わせて演出が実行される。
【００４０】
＜図柄配列＞
図３（ａ）を用いて、上述の各リール１１０乃至１１２に施される図柄配列について説明する。なお、同図は、各リール（左リール１１０、中リール１１１、右リール１１２）に施される図柄の配列を平面的に展開して示した図である。
【００４１】
各リール１１０乃至１１２には、同図の右側に示す複数種類（本実施形態では８種類）の図柄が所定コマ数（本実施形態では、番号０〜２０の２１コマ）だけ配置されている。また、同図の左端に示した番号０〜２０は、各リール１１０乃至１１２上の図柄の配置位置を示す番号である。例えば、本実施形態では、左リール１１０の番号１のコマには「リプレイ」の図柄、中リール１１１の番号０のコマには「ベル」の図柄、右リール１１２の番号２のコマには「スイカ」の図柄、がそれぞれ配置されている。
【００４２】
＜入賞役の種類＞
次に、図３（ｂ）を用いて、スロットマシン１００の入賞役の種類について説明する。なお、同図は入賞役（作動役を含む）の種類、各入賞役に対応する図柄組合せ、各入賞役の作動または払出を示している。
【００４３】
本実施形態における入賞役のうち、ビッグボーナス（ＢＢ１、ＢＢ２）および、レギュラーボーナス（ＲＢ）はボーナス遊技に移行する役として、また、再遊技（リプレイ）は新たにメダルを投入することなく再遊技が可能となる役として、それぞれ入賞役とは区別され「作動役」と呼ばれる場合があるが、本実施形態における「入賞役」には、作動役である、ビッグボーナス、レギュラーボーナス、再遊技が含まれる。また、本実施形態における「入賞」には、メダルの配当を伴わない（メダルの払い出しを伴わない）作動役の図柄組合せが有効ライン上に表示される場合も含まれ、例えば、ビッグボーナス、レギュラーボーナス、再遊技への入賞が含まれる。
【００４４】
スロットマシン１００の入賞役には、ビッグボーナス（ＢＢ１、ＢＢ２）と、レギュラーボーナス（ＲＢ）と、小役（チェリー、スイカ、ベル）と、再遊技（リプレイ）がある。なお、入賞役の種類は、これに限定されるものではなく、任意に採用できることは言うまでもない。
【００４５】
「ビッグボーナス（ＢＢ１、ＢＢ２）」（以下、単に、「ＢＢ」と称する場合がある）は、入賞により特別遊技であるビッグボーナス遊技（ＢＢ遊技）が開始される特別役（作動役）である。対応する図柄組合せは、ＢＢ１が「白７−白７−白７」、ＢＢ２が「青７−青７−青７」である。また、ＢＢ１、ＢＢ２についてはフラグ持越しを行う。すなわち、ＢＢ１、ＢＢ２に内部当選すると、これを示すフラグが立つ（主制御部３００のＲＡＭ３０８の所定のエリア内に記憶される）が、その遊技においてＢＢ１、ＢＢ２に入賞しなかったとしても、入賞するまで内部当選を示すフラグが立った状態が維持され、次遊技以降でもＢＢ１、ＢＢ２に内部当選中となり、ＢＢ１に対応する図柄組み合わせ「白７−白７−白７」、ＢＢ２に対応する図柄組み合わせ「青７−青７−青７」が、揃って入賞する状態にある。
【００４６】
「レギュラーボーナス（ＲＢ）」は、入賞によりレギュラーボーナス遊技（ＲＢ遊技）が開始される特殊役（作動役）である。対応する図柄組合せは、「ボーナス−ボーナス−ボーナス」である。なお、ＲＢについても上述のＢＢと同様にフラグ持越しを行う。但し、（詳細は後述するが）ビッグボーナス遊技（ＢＢ遊技）においては、レギュラーボーナス遊技（ＲＢ遊技）が内部当選することや、図柄組み合わせが入賞ライン上に表示されること、を開始条件とせずに、ビッグボーナス遊技の開始後からレギュラーボーナス遊技を開始し、１回のレギュラーボーナス遊技を終了した場合には次のレギュラーボーナス遊技をすぐに開始するような自動的にレギュラーボーナス遊技を開始させる設定としてもよい。
【００４７】
「小役（チェリー、スイカ、ベル）」（以下、単に、「チェリー」、「スイカ」、「ベル」と称する場合がある）は、入賞により所定数のメダルが払い出される入賞役で、対応する図柄組合せは、チェリーが「チェリー−ＡＮＹ−ＡＮＹ」、スイカが「スイカ−スイカ−スイカ」、ベルが「ベル−ベル−ベル」である。また、対応する払出枚数は同図に示す通りである。なお、「チェリー−ＡＮＹ−ＡＮＹ」の場合、左リール１１０の図柄が「チェリー」であればよく、中リール１１１と右リール１１２の図柄はどの図柄でもよい。
【００４８】
「再遊技（リプレイ）」は、入賞により次回の遊技でメダル（遊技媒体）の投入を行うことなく遊技を行うことができる入賞役（作動役）であり、メダルの払出は行われない。なお、対応する図柄組合せは、再遊技は「リプレイ−リプレイ−リプレイ」である。
【００４９】
＜遊技状態の種類＞
次に、スロットマシン１００の遊技状態の種類について説明する。本実施例では、スロットマシン１００の遊技状態は、通常遊技と、ＢＢ遊技と、ＲＢ遊技と、ビッグボーナス（ＢＢ）およびレギュラーボーナス（ＲＢ）の内部当選遊技と、に大別した。但し、通常遊技と、ＢＢ遊技と、ＲＢ遊技と、に大別するような区分けであってもよい。
【００５０】
＜通常遊技＞
通常遊技に内部当選する入賞役には、ビッグボーナス（ＢＢ）と、レギュラーボーナス（ＲＢ）と、再遊技（リプレイ）と、小役（チェリー、スイカ、ベル）がある。「ビッグボーナス（ＢＢ）」は、入賞により特別遊技であるビッグボーナス遊技（ＢＢ遊技）が開始される特別役（作動役）である。レギュラーボーナス（ＲＢ）」は、入賞によりレギュラーボーナス遊技（ＲＢ遊技）を開始する特殊役（作動役）である。「再遊技（リプレイ）」は、入賞により次回の遊技でメダルの投入を行うことなく遊技を行うことができる入賞役（作動役）であり、メダルの払出も行われない。「小役」は、入賞により所定数のメダルが払い出される入賞役である。
【００５１】
なお、各々の役の内部当選確率は、通常遊技に用意された抽選データから、各々の役に対応付けされた抽選データの範囲に該当する数値データを、内部抽選時に取得される乱数値の範囲の数値データ（例えば６５５３５）で除した値で求められる。通常遊技に用意された抽選データは、予めいくつかの数値範囲に分割され、各数値範囲に各々の役やハズレを対応付けしている。内部抽選を実行した結果得られた乱数値が、何れの役に対応する抽選データに対応する値であったかを判定し、内部抽選役を決定する。この抽選データは少なくとも１つの役の当選確率を異ならせた設定１〜設定６が用意され、遊技店の係員等はいずれかの設定値を任意に選択し、設定することができる。
【００５２】
通常遊技は、内部抽選の結果が概ねハズレ（ビッグボーナス（ＢＢ）、レギュラーボーナス（ＲＢ）、再遊技（リプレイ）および小役に当選していない）となる設定がされており、獲得するメダルの総数が、投入したメダルの総数に満たない遊技状態になっている。よって、遊技者にとっては不利益となる遊技状態である。但し、予め定めた条件を満たした場合（例えば、特定の図柄組み合わせが表示された場合）には、再遊技の内部当選の確率を上昇させる変動をさせてもよい遊技状態であり、この場合、小役の入賞によって所定数のメダルが払い出されることにより、獲得するメダルの総数が、投入したメダルの総数を超える遊技状態になり、遊技者にとっては利益となる遊技状態になる場合がある。
【００５３】
＜ＢＢ遊技＞
ＢＢ遊技は、遊技者にとっては利益となる遊技状態になるように設定されている。つまり、ＢＢ遊技は、獲得するメダルの総数が、投入したメダルの総数を超える遊技状態となる。ＢＢ遊技は、本実施例では、ビッグボーナス（ＢＢ）の入賞により開始され、ＲＢ遊技（後述する）を連続して繰り返し実行可能になっており、遊技中に予め定められた一の数（例えば、４６５枚）を超えるメダルが獲得された場合に終了する。但し、ＢＢ遊技はＲＢ遊技を連続して繰り返し実行可能とすることなく、ＲＢ遊技を開始する役（図柄組み合わせは例えば、リプレイ−リプレイ−リプレイ）を設定し、この役が内部当選した場合、または、入賞した場合に、ＲＢ遊技を開始するように設定してもよい。さらには、ＢＢ遊技は、ＢＢ遊技中のＲＢ遊技を除くＢＢ一般遊技を予め定めた回数（例えば、３０回）実行した場合、または、ＢＢ遊技中に実行したＲＢ遊技の回数が予め定めた回数に達した場合（例えば、３回）に終了するようにしてもよい。
【００５４】
＜ＲＢ遊技＞
ＲＢ遊技は、遊技者にとっては利益となる遊技状態になるように設定されている。つまり、ＲＢ遊技は、獲得するメダルの総数が、投入したメダルの総数を超える遊技状態となる。ＲＢ遊技は、本実施例では、レギュラーボーナス（ＲＢ）の入賞により開始され、予め定めた一の役が内部当選の確率を上昇させる変動（例えば、「設定１」「通常遊技」に設定された「小役１」の内部当選確率１／１５を、予め定めた一の値である内部当選確率１／１．２に上昇させる）をし、予め定めた一の数（例えば８回）の入賞があった場合に終了する。ＢＢ遊技は、予め定めた回数の入賞があった場合（例えば、８回）、または、ＲＢ遊技中に実行したＲＢ遊技の回数が予め定めた回数に達した場合（例えば、８回）に終了するようにしてもよい。
【００５５】
＜ビッグボーナス（ＢＢ）およびレギュラーボーナス（ＲＢ）の内部当選遊技＞
ビッグボーナス（ＢＢ）およびレギュラーボーナス（ＲＢ）の内部当選遊技に内部当選する入賞役には、再遊技（リプレイ）と、小役がある。ビッグボーナス（ＢＢ）およびレギュラーボーナス（ＲＢ）は内部当選することはなく、ビッグボーナス（ＢＢ）かレギュラーボーナス（ＲＢ）に対応する図柄組み合わせを入賞させることが可能となっている遊技状態である。
【００５６】
但し、ビッグボーナス（ＢＢ）およびレギュラーボーナス（ＲＢ）に内部当選した次遊技から、再遊技の内部当選の確率を変動させてもよく、例えば、再遊技の内部当選の確率を上昇させる変動をさせて、ビッグボーナス（ＢＢ）およびレギュラーボーナス（ＲＢ）対応する図柄組み合わせが入賞するまでの間は、獲得するメダルの総数が、投入したメダルの総数とほぼ同じとなる遊技状態とし、通常遊技と比べると遊技者にとっては利益となる遊技状態としてもよい。
【００５７】
＜主制御部メイン処理＞
図４を用いて、主制御部３００のＣＰＵ３０４が実行する主制御部メイン処理について説明する。なお、同図は主制御部メイン処理の流れを示すフローチャートである。上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図４に示す主制御部メイン処理を実行する。
【００５８】
電源投入が行われると、まず、Ｓ１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１３への動作許可及び初期値の設定等を行う。
【００５９】
Ｓ２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればＳ３へ進む。
【００６０】
Ｓ３では投入されたメダル枚数を確定し、有効な入賞ラインを確定する。Ｓ４では乱数発生回路３１６で発生させた乱数を取得する。Ｓ５では、現在の遊技状態に応じてＲＯＭ３０６に格納されている入賞役抽選テーブルを読み出し、これとＳ４で取得した乱数値とを用いて内部抽選を行う。内部抽選の結果、いずれかの入賞役に内部当選した場合、その入賞役の内部当選フラグをＯＮにする。Ｓ６では内部抽選結果に基づき、リール停止データを選択する。
【００６１】
Ｓ７では全リール１１０乃至１１２の回転を開始させる。Ｓ８では、ストップボタン１３７乃至１３９の受け付けが可能になり、いずれかのストップボタンが押されると、押されたストップボタンに対応するリール１１０乃至１１２の何れかをＳ６で選択したリール停止制御データに基づいて停止させる。リールの停止制御は、基本的には、内部当選した入賞役がある場合は、その入賞役に対応する図柄組み合わせが表示されることは許容し、ハズレ等の場合はいずれの役に対応する図柄組み合わせも表示されないように、いわゆる引き込み・蹴飛ばしといったリールの停止制御を行う。
【００６２】
全リール１１０乃至１１２が停止するとＳ９へ進む。Ｓ９では、入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならばベル入賞と判定する。また、フラグ持ち越しの場合を除き、内部当選フラグをリセットする。
【００６３】
Ｓ１０では払い出しのある何らかの入賞役に入賞していれば、その入賞役に対応する枚数のメダルを入賞ライン数に応じて払い出す。Ｓ１１では遊技状態制御処理を行う。遊技状態制御処理では、通常遊技、ＢＢ遊技、ＲＢ遊技、内部当選遊技、の各遊技状態の移行に関する処理を行い、それらの開始条件、終了条件の成立により、遊技状態を移行する。こうして本実施形態では、停止表示された図柄の組み合わせに基づいて遊技者に特典を付与している。以上により１ゲームが終了する。以降Ｓ２へ戻って上述した処理を繰り返すことにより遊技が進行することになる。
【００６４】
＜メダルセレクタ＞
次に、前面扉１０２の背面に取り付けられるメダルセレクタ３３６について説明する。メダルセレクタ３３６はメダル投入口１４１から投入されたメダルが通過するメダル通路を形成すると共に、正規のメダルと正規のメダルよりも小径の非正規メダルとを選別する。なお、上流側、下流側とはメダルが流れる方向を基準とし、メダル投入口１４１側が上流側である。
【００６５】
図５はメダルセレクタ３３６の配設位置を示す前面扉１０２の下部背面の周辺図である。メダルセレクタ３３６は、１つの入口部３３６ａと２つの出口部３３６ｂ、３３６ｃと、を有する。入口部３３６ａはメダル投入口１４１と連通しており、メダル投入口１４１に投入されたメダルは入口部３３６ａからメダルセレクタ３３６内へ進入する。そして、その内部で選別されて、正規メダルは出口部３３６ｂから排出されてメダル払出装置１８０へ落下する。正規メダルよりも小径の非正規メダルや、受付期間外に投入されたメダルは出口部３３６ｃから排出され、通路部材１５５ａ内の通路を通ってメダル払出口１５５（図５において不図示）へ排出される。
【００６６】
図６はメダルセレクタ３３６の斜視図、図７はカバー部材１を省略したメダルセレクタ３３６の斜視図、図８はメダルセレクタ３３６の背面図、図９はメダルセレクタ３３６の分解斜視図である。
【００６７】
メダルセレクタ３３６は、ベース部材１０と、ベース部材１０の正面に着脱自在に装着され、ベース部材１０の正面を覆うカバー部材１と、を備える。ベース部材１０には軸２が取り付けられている。カバー部材１はこの軸２に取り付けられる軸支部１ａ、１ａを備え、軸２回りに回動自在になっている。軸２にはスプリング３が装填されている。スプリング３は、ベース部材１０に対してカバー部材１を閉じる方向（図６の状態となる方向）に常時付勢する。カバー部材１にはハンドル部１ｄが設けられており、メンテナンス等の際、作業者はハンドル部１ｄを把持してカバー部材１を開いたりすることができる。
【００６８】
＜メダル通路の構成＞
メダルセレクタ３３６は、入口部３３６ａを有し、メダル投入口１４１に投入されたメダルがはじめに通過する上流側通路ＵＲと、上流側通路ＵＲから分岐した、出口部３３６ｂを有する下流側通路ＤＲ１及び出口部３３６ｃを有する下流側通路ＤＲ２と、を形成する。本実施形態の場合、下流側通路ＤＲ１が正規メダルが通過する通路とし、下流側通路ＤＲ２が非正規メダル或いは受付期間外に投入されたメダルが通過する通路とするが、この関係は逆であってもよい。
【００６９】
上流側通路ＵＲは、ベース部材１０の通路壁形成部１１と、カバー部材１の通路壁形成部１ｂとの隙間として形成される。通路壁形成部１１、１ｂは上流側通路ＵＲの厚み方向の通路壁を形成する。本実施形態の場合、上流側通路ＵＲは上下方向のメダル通路を形成している。上流側通路ＵＲを通過するメダルは略垂直落下状態で上流側通路ＵＲを通過し、ほとんど転動しない。このため、メダルからの汚れが付着しにくく、汚れの堆積による動作不良を生じにくいという効果がある。
【００７０】
通路壁形成部１１には、メダルの流れ方向に延設され、互いに通路幅方向に離間した複数条のリブ１１ａが形成されている。リブ１１ａは通過するメダルとの摩擦低減に寄与する。なお、図示しないが、カバー部材１の通路壁形成部１ｂの背面にも同様のリブが形成されている。
【００７１】
通路壁形成部１１の右側方には、側壁形成部材１３が固定されている。側壁形成部材１３は板状をなし、その側面は、メダルセレクタ３３６を通過するメダルの周面が当接する、上流側通路ＵＲの一方の側壁Ｗ１を形成する。上流側通路ＵＲの他方の側壁Ｗ２は後述する可動部材１４により形成される。なお、本実施形態では側壁形成部材１３とベース部材１０とを別部材として両者を固定する構成としたが、これらを一体成形してもよい。
【００７２】
上流側通路ＵＲの下流端には、ベース部材１０を奥行き方向に貫通する開口部１１ｂが設けられており、この開口部１１ｂが上流側通路ＵＲと、下流側通路ＤＲ１及びＤＲ２との分岐点となっている。
【００７３】
下流側通路ＤＲ１及びＤＲ２は、上流側通路ＵＲの厚み方向に分岐している。つまり、下流側通路ＤＲ１及びＤＲ２は、その上流側がメダルセレクタ３３６の奥行き方向に重なっており、下流側通路ＤＲ１が正面側、下流側通路ＤＲ２が背面側に位置している。
【００７４】
ベース部材１０は、下流側通路ＤＲ１と下流側通路ＤＲ２とを隔てる上流側の通路壁形成部１２ａを有する。下流側通路ＤＲ１は、通路壁形成部１２ａの背面と、断面コの字型でメダルセレクタ３３６の奥行き方向手前側に湾曲した通路壁形成部１２ｂと、後述する選別ユニット２０のベース部材２３の通路壁形成部２３１と、から形成されている。下流側通路ＤＲ１は、その下流側においてメダルセレクタ３３６の奥行き方向手前側に湾曲しているものの、上下方向のメダル通路を形成しているため、通過するメダルはほとんど転動しない。このため、メダルからの汚れが付着しにくく、汚れの堆積による動作不良を生じにくいという効果がある。
【００７５】
下流側通路ＤＲ２は、通路壁形成部１２ａの正面と、段差１２ｆを介して１段下がって通路壁形成部１２ａと連続した通路壁形成部１２ｃと、カバー部材１の通路壁形成部１ｃの背面と、幅方向の通路壁を形成する通路壁形成部１２ｄ、１２ｅと、から形成されている。
【００７６】
＜正規メダルの検出＞
メダルセレクタ３３６では、上流側通路ＵＲを正規メダルが通過中であるか否かを検出し、通過中であれば下流側通路ＤＲ１に導く。以下、本実施形態における正規メダルの検出に関わる構成について図６乃至図１０を参照して説明する。図１０（ａ）はカバー部材１を省略したメダルセレクタ３３６の正面図、図１０（ｂ）は図１０（ａ）の線Ｘ−Ｘに沿うメダル検出センサ１８の断面図である。
【００７７】
ベース部材１０は、通路壁形成部１１から一段高くなっている機構取付部１０ａを備える。機構取付部１０ａには軸部材１５が取り付けられており、機構取付部１０ａの背面側において軸部材１５に回動自在に可動部材１４が支持されている。軸部材１５の中心軸線は、上流側通路ＵＲの厚み方向と平行な方向であり、可動部材１４は、上流側通路ＵＲの厚み方向と平行な軸線回りに回動する。
【００７８】
機構取付部１０ａの、通路壁形成部１１側の側壁にはスリット１０ｂが形成されており、このスリット１０ｂから可動部材１４がその回動により通路壁形成部１１上に進出自在になっている。
【００７９】
可動部材１４は、他方側壁部１４ａと、セパレート部１４ｂと、軸部材１５が挿通する孔１４ｃと、を備える。他方側壁部１４の側面は、上流側通路ＵＲの他方の側壁Ｗ２を形成する。セパレート部１４ｂは、その周囲よりも側壁Ｗ１側に突起しており、半円形状をなしている。
【００８０】
本実施形態の場合、セパレート部１４ｂは、可動部材１４の回動中心（孔１４ｃの中心）よりも上流側通路ＵＲの上流側に位置し、他方側壁部１４ａはセパレート部１４ｂよりも上流側通路ＵＲの下流側に位置している。本実施形態の場合、特に、他方側壁部１４ａは可動部材１４の回動中心よりも下流側に位置している。したがって、可動部材１４が時計回りに回動すれば、セパレート部１４ｂが側壁Ｗ１側へ進出し、他方側壁部１４ａは側壁Ｗ１から後退し、可動部材１４が反時計回りに回動すれば、セパレート部１４ｂが側壁Ｗ１から後退し、他方側壁部１４ａは側壁Ｗ１側へ進出する。
【００８１】
メダルの厚みが１．６ｍｍ〜２ｍｍ程度とすると、上流側通路ＵＲの厚み方向の深さは２．２ｍｍ程度とし、可動部材１４の厚みは１．６ｍｍ程度とすれば、可動部材１４とベース部材１０の通路壁形成部１１との間の隙間、あるいは、可動部材１４とカバー部材１の通路壁形成部１ｂとの隙間からメダルが脱落してしまうことを防止できる。
【００８２】
図８に示すように、機構取付部１０ａの背面には保持ユニット１６が装着されている。保持ユニット１６は、可動部材１４を付勢する弾性部材１６ａ、１６ｂを保持する。本実施形態の場合、弾性部材１６ａ、１６ｂはコイルスプリングであり、その一方端部が保持ユニット１６に固定され、他方端部が可動部材１４に当接することで、互いに逆方向に可動部材１４を付勢する。
【００８３】
本実施形態の場合、弾性部材１６ａ、１６ｂは可動部材１４が、図１０（ａ）に示す初期位置にあるように付勢する。つまり、図１０（ａ）の状態において、弾性部材１６ａ、１６ｂの付勢力と、可動部材１４の自重による回動力とは釣り合っている。なお、本実施形態では、このように弾性部材１６ａ、１６ｂを用いて可動部材１４を図１０（ａ）の初期位置に位置させる回動習性を与えるようにしたが、これらを用いない構成も可能である。例えば、初期位置において可動部材１４の重心位置が、その回動中心を通る鉛直線上に位置するように可動部材１４の重量配分を設定することで、可動部材１４を初期位置に位置させる回動習性を与えることができる。
【００８４】
図１０（ａ）に示す、メダルが非通過時の初期位置において可動部材１４は、側壁Ｗ２がメダルセレクタ３３６を通過するメダルと側壁Ｗ２とが干渉するよう、側壁Ｗ１、Ｗ２間の最小離間距離がメダルの直径よりも小さい位置に位置している。
【００８５】
メダルセレクタ３３６は、上流側通路ＵＲを通過する正規メダルを検出するためのメダル検出センサ１８を備える。メダル検出センサ１８は、可動部材１４の回動中心よりも上流側通路ＵＲの下流側に位置し、側壁Ｗ１から離間して側壁Ｗ１に対峙する位置に配置されている。図１０（ｂ）は図１０（ａ）の線Ｘ−Ｘに沿うメダル検出センサ１８の断面図である。メダル検出センサ１８は、光学式のセンサであり、スリット１８ａを有し、スリット１８ａの一方側に発光素子１８ｂが、他方側に受光素子１８ｃが、それぞれ設けられている。メダル検出センサ１８は、スリット１８ａを物体、つまり、メダルが通過し、発光素子１８ｂからの光が遮断されることでメダルの通過を検出する。
【００８６】
メダル検出センサ１８の検出位置は、発光素子１８ｂと受光素子１８ｃとを結ぶ仮想線Ｌ２である。図１０（ａ）において、仮想円Ｃは、可動部材１４の回動中心を中心とし、該回動中心から他方側壁部１４ａの下端部までの距離を半径とする円である。したがって、他方側壁部１４ａの下端部の移動軌跡は仮想円Ｃに含まれる。本実施形態の場合、他方側壁部１４ａの下端部の移動軌跡は、スリット１８ａを通過している。但し、メダル検出センサ１８の検出位置は通過せず、検出位置の僅かに上方を通過する。
【００８７】
図１０（ａ）を参照して、検出位置を示す仮想線Ｌ２と、側壁Ｗ１の距離Ｄ２について説明する。ここで、距離Ｄ２は側壁Ｗ１の法線方向の距離であり、側壁Ｗ１と仮想線Ｌ２との最短距離である。この距離Ｄ２は、正規メダルの直径Ｄ１以下であって、正規メダルよりも小径で、遊技メダルとして排除対象の非正規メダルの直径Ｄ３を超えて設定されている。このため、メダルが側壁Ｗ１にぴったりと当接しながらメダル通路を移動する限り、正規メダルの通過はメダル検出センサ１８によって検出されるが、非正規メダルの通過は検出されないことになる。
【００８８】
上流側通路ＵＲを通過するメダルは、可動部材１４の他方側壁部１４ａの側壁Ｗ２と当接する。側壁Ｗ１、Ｗ２間を通過するメダルは側壁Ｗ２により側壁Ｗ１に押圧される一方、自重によりこの押圧に抗して抗してメダルＭが側壁Ｗ１、Ｗ２間を移動することにより、可動部材１４に図１０（ａ）で見て時計回りの回動が生じる。可動部材１４の他方側壁部１４ａの下端はメダル検出センサ１８のスリット１８ａ内に入り込んでおり、メダルがメダル検出センサ１８を通過完了するぎりぎりまで、側壁Ｗ２がメダルＭを側壁Ｗ１に押圧するようにしている。
【００８９】
そして、上記の通り、メダル検出センサ１８を通過するメダルが正規メダルである場合にはメダル検出センサ１８によりその通過が検出され、小径の非正規メダルである場合には通過が検出されない。こうして本実施形態では正規メダルが上流側通路ＵＲを通過することを検出するが、非正規メダルと区別して正規メダルの通過を検出可能であれば、上記の構成に限られるものではない。例えば、上流側通路ＵＲを通過するメダルを撮像する撮像素子を設け、撮像素子が撮像した画像に基づき、正規メダルか非正規メダルかを識別する構成でもよい。
【００９０】
次に、機構取付部１０ａにはベース部材１０を貫通した開口部１０ｃが形成されており、この開口部１０ｃには回動検出センサ１９が配設されている。本実施形態の場合、回動検出センサ１９は、メダル検出センサ１８と同様の構成の光学式センサである。回動検出センサ１９は、そのスリットに可動部材１４の一部が進入可能な位置に配置されている。そして、図１０（ａ）に示す初期位置に可動部材１４が位置している場合、可動部材１４の一部は、回動検出センサ１９のスリットから離脱して回動検出センサ１９が可動部材１４を検出しないが、可動部材１４が初期位置から図１０（ａ）で時計回りに所定角度以上回動すると、可動部材１４の一部が回動検出センサ１９のスリットに進入して、可動部材１４が回動検出センサ１９によって検出される。
【００９１】
回動検出センサ１９を設けたことで可動部材１４が初期位置から回動したことを検出できる。このため、非正規メダルの通過や、上流側通路ＵＲに対する不正器具の挿入を検出できる。
【００９２】
＜通過メダルの間隔調整＞
可動部材１４のセパレート部１４ｂの機能について説明する。セパレート部１４ｂは、連続投入されたメダルに一定以上の通過間隔を確保する。これにより、メダル詰まりの発生等が防止でき、また、メダルを一枚ずつ検出して誤検出を低減することができる。また、１つの可動部材１４で、メダルの側壁Ｗ１への押圧（幅寄せ）と、メダルの通過間隔の確保ができ、部品点数を減らすことができる。
【００９３】
図１０（ａ）に示す、メダルが非通過時の初期位置において可動部材１４は、セパレート部１４ｂが後述する通過規制位置から後退し、側壁Ｗ２がメダルセレクタ３３６を通過するメダルと側壁Ｗ２とが干渉するよう、側壁Ｗ１、Ｗ２間の最小離間距離がメダルの直径よりも小さい位置に位置している。
【００９４】
次に、図１１を参照して、セパレート部１４ｂの機能について説明する。図１１は、２枚のメダルが連続して投入された場合の、メダルセレクタ３３６の動作説明図であり、可動部材１４及び弾性部材１６ａ、１６ｂの挙動を状態Ｔ１〜Ｔ１２に分けて示している。状態Ｔ１はメダルの投入待ちの状態を示しており、可動部材１４は初期位置に位置している。状態Ｔ２は、メダル投入口１４１に投入されたメダルＭが上流側通路ＵＲに進入してきた状態を示す。状態Ｔ３は可動部材１４のセパレート部１４ｂにメダルＭが当接し、可動部材１４が反時計回りに若干回動した様子を示している。
【００９５】
状態Ｔ４は先行するメダルＭが可動部材１４の他方側壁部１４ａの側壁Ｗ２に当接した状態を示す。このとき、弾性部材１６ｂによる付勢と先行するメダルＭの自重とにより可動部材１４には時計回りの回動力が付勢される。
【００９６】
状態Ｔ５は、先行するメダルＭの通過により可動部材１４が時計回りに回動した状態を示す。弾性部材１６ａの働きにより可動部材１４は初期位置に戻ろうとするため、状態Ｔ４から状態Ｔ５へ移行する間、側壁Ｗ１、Ｗ２間を通過するメダルＭは側壁Ｗ２により側壁Ｗ１に押圧される一方、自重によりこの押圧に抗してメダルＭが側壁Ｗ１、Ｗ２間を移動することにより、可動部材１４には時計回りの回動が生じる。側壁Ｗ２は、通過中のメダルＭの直径分、側壁Ｗ１から離間することになる。この時計回りの回動は回動検出センサ１９で検出される。そして、この回動により、セパレート部１４ｂが、先行する通過中のメダルＭと後続のメダルＭとの間の位置となる通過規制位置に進出する。
【００９７】
状態Ｔ６及びＴ７は先行するメダルＭがメダル検出センサ１８を通過し、後続のメダルＭがセパレート部１４ｂの存在により通路幅が狭くなった結果、その移動が規制された状態を示す。可動部材１４の他方側壁部１４ａの下端はメダル検出センサ１８のスリット１８ａ内に入り込んでおり、メダルＭがメダル検出センサ１８を通過完了するぎりぎりまで、側壁Ｗ２がメダルＭを側壁Ｗ１に押圧するようにしている。
【００９８】
そして、上記の通り、メダル検出センサ１８を通過するメダルＭが正規メダルである場合にはメダル検出センサ１８によりその通過が検出され、非正規メダルである場合には通過が検出されない。また、後続のメダルＭがセパレート部１４ｂにより移動が規制されることで、先行するメダルＭとの一定以上の通過間隔が確保される。更に、後続のメダルＭがセパレート部１４ｂにより移動が規制されることで、その通過速度（落下速度）が減速され、メダル検出センサ１８による検出をより確かなものとする。
【００９９】
状態Ｔ８乃至Ｔ１２は、後続のメダルＭが側壁Ｗ１、Ｗ２間を通過する状態を示し、可動部材１４の挙動は状態Ｔ３〜Ｔ６と同様である。状態Ｔ７から状態Ｔ８へ移行する際、可動部材１４は、反時計回りに回動するが、その際の力関係を図１２を参照して説明する。
【０１００】
図１２は状態Ｔ７の場合に可動部材１４に作用する力関係の説明図である。メダルＭから受ける力を鉛直方向の力Ｆ１、水平方向の力Ｆ２で分けて考え、それらの作用線と可動部材１４の回動中心との垂線の距離をＬ１１、Ｌ１２とする。また、弾性部材１６ａの付勢方向は水平方向とみなし、その作用線と可動部材１４の回動中心との垂線の距離をＬ１３とする。しかして、Ｆ１×Ｌ１１＋Ｆ３×Ｌ１３＞Ｆ２×Ｌ１２が成立すれば、可動部材１４は反時計回りに回動することになる。
【０１０１】
このように本実施形態では、メダルＭが連続投入されても、セパレート部１４ｂにより先行するメダルＭと後続のメダルＭとに一定以上の通過間隔が確保されるので、メダル詰まりの発生が防止でき、また、メダルを一枚ずつ検出して誤検出を低減することができる。特に、セパレート部１４ｂにより後続のメダルＭの通過速度（落下速度）が減速するので、メダルの検出をより確かなものとすることができる。加えて、１つの可動部材１４で、メダルＭの側壁Ｗ１への押圧（幅寄せ）と、メダルの通過間隔の確保等ができ、部品点数を減らすことができる。
【０１０２】
＜選別ユニット＞
図８、図９、図１３及び図１４を参照して、メダルセレクタ３３６が備える選別ユニット２０について説明する。なお、図１３は選別ユニット２０の分解斜視図、図１４（ａ）乃至（ｃ）は異なる方向から見たベース部材２３の斜視図である。図８、図９に示すように選別ユニット２０はベース部材１０の背面側に固定される。
【０１０３】
選別ユニット２０は、アクチュエータ２１と、可動部材２２と、ベース部材２３と、弾性部材２４と、変位検出センサ２５と、を備える。アクチュエータ２１は本実施形態の場合電磁ソレノイドであるが、他の電動アクチュエータを採用することも可能である。
【０１０４】
ベース部材２３はベース部材１０に固定される取付部２３ｄ、２３ｄを有しており、アクチュエータ２１はベース部材２３によりベース部材１０に固定される。ベース部材２３は金属製であり、アクチュエータ２１の放熱部材の役割を兼ねている。つまり、アクチュエータ２１が、その通電により発熱するとベース部材２３を介してその熱が放熱される。
【０１０５】
ベース部材２３は通路壁形成部２３１を備える。通路壁形成部２３１は下流側通路ＤＲ１の一部（背面側の通路壁）を構成する。ベース部材２３が通路壁形成部２３１を一体に備えることで、部品点数を削減できる。しかも、通路壁形成部２３１を備えたことによりベース部材２３の表面積が増加し、放熱機能が高まる。こうして本実施形態では、部品点数の増加を抑制しながらアクチュエータ２１の放熱を好適に行うことができる。なお、本実施形態は通路壁形成部２３１により、下流側通路ＤＲ１の一部を構成するようにしたが、通路壁形成部２３１が形成する通路の範囲はこれに限られず、下流側通路ＤＲ１又は下流側通路ＤＲ２のいずれか一方の少なくとも一部を形成するようにすることができる。
【０１０６】
通路壁形成部２３１は、メダルの通過方向に延設されると共に、通路幅方向に互いに離間した複数条の凸部（リブ）２３１ａを備える。この凸部２３１ａは通過するメダルとの摩擦を低減する効果があると共に、表面積の拡大により、放熱機能を向上できる。
【０１０７】
また、通路壁形成部２３１は、その下流側端部がメダルセレクタ３３６の奥行き方向手前側に湾曲した湾曲部２３１ｂを形成している。このような湾曲部２３１ｂが存在すると、通過メダルの衝突により耐磨耗性が問題となる場合がある。特に、上記の通り本実施形態では、汚れの付着防止を図るべく、上流側通路ＵＲと下流側通路ＤＲ１とが上下方向のメダル通路を形成しており、略垂直落下してくるメダルがこの湾曲部２３１ｂに衝突する。しかし、通路壁形成部２３１はベース部材２３の一部をなす金属製であるので、このような衝突に対する耐磨耗性を確保できる。
【０１０８】
ベース部材２３は、可動部材２２の係合部２２ｂ、２２ｂが係合する支持部２３ｂ、２３ｂを備え、可動部材２２は、係合部２２ｂ、２２ｂを結ぶ仮想線回りに、ベース部材２３に変位（回動）自在にベース部材２３に支持される。ベース部材２３は、また、ベース部材２３と可動部材２２との間に装填される弾性部材２４の一方端部を係止する係止部２３ａを備える。
【０１０９】
弾性部材２４は本実施形態の場合、コイルスプリングであり、その他方端部は可動部材２２の係止部２２ａに係止される。ベース部材２３は、また、可動部材２２の位置を検出する変位検出センサ２５を取り付ける取付部２３ｃを有する。ベース部材２３が、支持部２３ｂ、係止部２３ａ、取付部２３ｃを備えたことで部品点数を削減できる。
【０１１０】
可動部材２２はその側部に被検出部２２ｃを備える。本実施形態の場合、変位検出センサ２５は、メダル検出センサ１８と同様の構成の光学式センサである。変位検出センサ２５は、そのスリットに被検出部２２ｃが進入可能な位置で取付部２３ｃに支持されている。
【０１１１】
可動部材２２はその下部に選別部２２１を備える。選別部２２１は、上流側通路ＵＲと、下流側通路ＤＲ１及びＤＲ２との分岐点となっているベース部材１０の開口部１１ｂに位置しており、可動部材２２の変位に伴って奥行き方向に進退し、上流側通路ＵＲを通過したメダルを下流側通路ＤＲ１又はＤＲ２のいずれかに導く。図１６（ａ）及び（ｂ）は選別ユニット２０の動作説明図であり、開口部１１ｂ周辺のメダルセレクタ３３６の側断面である。
【０１１２】
図１６（ａ）は、選別部２２１が相対的に正面側に位置し、上流側通路ＵＲを通過したメダルを下流側通路ＤＲ２に導く位置（以下、ブロック位置）に位置している状態を示す。選別部２２１は下流側通路ＤＲ１の入口を塞いでおり、上流側通路ＵＲを通過したメダルは選別部２２１と衝突することで下流側通路ＤＲ２に導かれる。このとき、アクチュエータ２１は非駆動状態（非通電状態）である。可動部材２２は、図１６（ａ）の位置に弾性部材２４によって常時付勢される。また、選別部２２１がブロック位置にある場合、被検出部２２ｃは変位検出センサ２５のスリットから抜け出た状態にあり、変位検出センサ２５によって被検出部２２ｃは検出されない。これにより、選別部２２１がブロック位置にあることを検出できる。
【０１１３】
図１６（ｂ）は、アクチュエータ２１の駆動（通電）による磁力により可動部材２２が、弾性部材２４の付勢に抗してアクチュエータ２１に吸引され、選別部２２１が相対的に背面側に位置して上流側通路ＵＲを通過したメダルを下流側通路ＤＲ１に導く位置（以下、開放位置）に位置している状態を示す。上流側通路ＵＲを通過したメダルは選別部２２１に邪魔されず、下流側通路ＤＲ１に導かれる。また、選別部２２１が開放位置にある場合、被検出部２２ｃは変位検出センサ２５のスリットに進入した状態にあり、変位検出センサ２５によって被検出部２２ｃが検出される。これにより、選別部２２１が開放位置にあることを検出できる。
【０１１４】
図１５は、メダルセレクタ３３６によるメダルの選別動作の一連の流れの説明図である。アクチュエータ２１は通常時は非駆動（非通電）とし、選別部２２１をブロック位置に位置させておく。上流側通路ＵＲを流れるメダルＭが非正規メダルの場合、その通過がメダル検出センサ１８で検出されないので、アクチュエータ２１は非駆動状態のままとなる。この結果、選別部２２１の存在によって非正規メダルＮＭは下流側通路ＤＲ２へ導かれて出口部３３６ｃから排出されることになる。
【０１１５】
一方、上流側通路ＵＲを流れるメダルＭが正規メダルの場合、これがメダル検出センサ１８で検出される。メダル投入の受付期間中であって、メダル検出センサ１８でメダルＭが正規メダルであることが検出されると、アクチュエータ２１を駆動（通電）し、選別部２２１を開放位置に移動する。この結果、正規メダルＲＭは下流側通路ＤＲ１へ導かれて出口部３３６ｂから排出されることになる。
【０１１６】
こうして、メダル検出センサ１８の検出結果に基づいて選別部２２１（可動部材２２）を変位させることで、正規メダルと非正規メダルとの選別ができ、特に選別部２２１による機械的作用によりメダルを選別するので、正規メダルの選別精度を維持することができる。なお、本実施形態の場合、下流側通路ＤＲ１が正規メダルが通過する通路とし、下流側通路ＤＲ２が非正規メダル或いは受付期間外に投入されたメダルが通過する通路とするが、この関係を逆とする場合は、選別部２２１の変位態様も逆にすればよい。
【０１１７】
＜選別部の形状＞
選別部２２１にはメダルが衝突するため、耐摩耗性が要求される。特に、上記の通り本実施形態では、汚れの付着防止を図るべく、上流側通路ＵＲが上下方向のメダル通路を形成しており、略垂直落下してくるメダルの下縁が選別部２２１に衝突するため、より高い耐摩耗性が要求される。本実施形態では、メダル下縁と選別部２２１との衝突が点ではなく、線接触となるように選別部２２１の形状を工夫することで、衝撃力を和らげ、耐摩耗性を向上する。
【０１１８】
図１７（ａ）乃至（ｅ）は可動部材２２の説明図であり、（ａ）乃至（ｃ）はそれぞれ平面図、正面図、右側面図であり、（ｄ）及び（ｅ）は異なる方向から見た可動部材２２の斜視図である。
【０１１９】
選別部２２１は、その両端部２２１ｂ、２２１ｂよりもその中央２２１ａが下方へ窪んだ湾曲形状を有しており、メダル下縁と線接触する程度の窪みとなっている。このため、選別部２２１を平坦に形成した場合と比べて、落下してきたメダル下縁と選別部２２１との接触は線接触となり、衝撃力が減少する。この結果、耐摩耗性を向上することができる。
【０１２０】
次に、選別部２２１の配置について説明する。図１８（ａ）及び（ｂ）は可動部材２２の配置の説明図である。本実施形態の場合、選別部２２１の形状は左右対称の湾曲形状である。図１８（ａ）に示すように、選別部２２１（ブロック位置）は、上流側通路ＵＲの幅方向の中心線ＣＬ上に、その中央２２１ａが位置するように可動部材２２が配置される。また、選別部２２１はその先端縁が円弧形状をなしている。このため、選別部２２１に落下したメダルを選別部２２１の中央に導き易くなる。
【０１２１】
選別部２２１の両端部２２１ｂ、２２１ｂ間の距離は上流側通路ＵＲの幅（開口部１１ｂの幅）に略一致しているため、ブロック位置にある場合に選別部２２１は上流側通路ＵＲ中を落下してくるメダルと確実に衝突する。また、図７や図１０に示すように、、通路壁形成部１２ａの上端縁の形状は、選別部２２１の先端縁の円弧形状に倣った円弧形状をなしている。これらにより、ブロック位置にある場合に選別部２２１は下流側通路ＤＲ１の入口をより確実に塞ぎ、不正器具等の通過を許さない構造となっている。
【０１２２】
選別部２２１は、側方から見ると、図１８（ｂ）に示すように、選別部２２１（ブロック位置）は、その先端縁の位置を示す線ＬＴが、通路壁形成部１１の位置を示す線ＬＲＢと略平行になっており、通路壁形成部１１からの突出量が略均一となっている。中央２２１ａはメダルの流れ方向から斜めに傾斜しており、図１８（ｂ）の左側へメダルを導き易くなっている。
【０１２３】
図１９（ａ）乃至（ｃ）は選別部２２１に対するメダルＭの衝突態様の説明図である。同図（ａ）乃至（ｃ）に示すように、ブロック位置にある選別部２２１には、落下するメダルＭが通路の厚み方向にズレて衝突する場合があるが、上記の形状及び配置の採用により、メダルＭの下縁と選別部２２１とは線接触となる。選別部２２１の上記の形状及び配置の採用により、落下するメダルＭが通路の幅方向にずれて衝突しても、図１９（ｄ）に示すように、選別部２２１の中央２２１ａ側に導かれ易くなり、メダルＭのセンタリング作用を発揮する。このため、メダルＭが大きく暴れることなく下流側通路ＤＲ２へ導くことができる。
【０１２４】
＜受付メダルの検出＞
図７乃至図１０を参照して、正規メダルが通過する通路である下流側通路ＤＲ１には、下流側通路ＤＲ１を通過するメダルを検出するメダル検出センサ１７が設けられている。メダル検出センサ１７はメダル検出センサ１８と同様の構成の光学式センサであり、そのスリット中をメダルが通過するとこれを検出する。本実施形態では、少なくとも、このメダル検出センサ１７でメダルの通過が検出されたことを条件として、投入メダルを正規メダルが投入されたものとして受け付ける。つまり、ベット数のカウントやクレジットのカウントを行う。
【０１２５】
なお、本実施形態の場合、下流側通路ＤＲ１が正規メダルが通過する通路とし、下流側通路ＤＲ２が非正規メダル或いは受付期間外に投入されたメダルが通過する通路とするが、この関係を逆とする場合は、メダル検出センサ１７は下流側通路ＤＲ２を通過するメダルを検出するように配置することになる。
【０１２６】
＜不正行為の防止＞
上記の通り、本実施形態では、少なくともメダル検出センサ１７でメダルの通過が検出されたことを条件として、投入メダルを正規メダルが投入されたものとして受け付ける。このため、メダル検出センサ１７が不正行為の対象となり易い。不正行為の方法として、不正器具をメダル払出口１５５から挿入し、通路部材１５５ａ、下流側通路ＤＲ２を通してメダル検出センサ１７に到達させることが考えられる。しかし、本実施形態のメダル通路の構造等により困難である。図２０は不正行為防止の説明図である。
【０１２７】
本実施形態の場合、下流側通路ＤＲ１及びＤＲ２を上流側通路ＵＲから分岐した構造としたため、図２０の矢印ＤＮ１で示すように、下流側通路ＤＲ２側から不正器具を挿入すると、上流側通路ＵＲに進行してしまい、下流側通路ＤＲ１へ進行させるためには大幅に不正器具を曲折させなければならず困難である。しかも、開口部１１ｂに選別部２２１が存在しており、これがブロック位置にある場合は邪魔となって不正器具を下流側通路ＤＲ１へ進入させることはできない。また、下流側通路ＤＲ２には段差１２ｆが存在しているので、図２０の矢印ＤＮ２で示すように不正器具がこの段差１２ｆに引っかかって更に挿入を困難としている。
【０１２８】
不正行為の他の方法として不正器具をメダル投入口１４１から挿入し、上流側通路ＵＲを通してメダル検出センサ１７に到達させることも考えられる。しかし、開口部１１ｂに選別部２２１が存在しており、これがブロック位置にある場合は邪魔となって不正器具を下流側通路ＤＲ１へ進入させることはできない。このように本実施形態では不正器具挿入による不正行為に対して、防衛力が強い構造となっている。
【０１２９】
＜メダルセレクタ３３６の制御＞
主制御部３００のＣＰＵ３０４によるアクチュエータ２１の駆動、非駆動制御の例について説明する。ＣＰＵ３０４は、通常はアクチュエータ２１を非駆動とする。このため、選別部２２１は通常はブロック位置に位置する。通常はアクチュエータ２１を非駆動とすることで消費電力を低減できる。
【０１３０】
ＣＰＵ３０４は、メダルの受付期間中であって、メダル検出センサ１８が正規メダルを検出するとアクチュエータ２１を駆動する。選別部２２１は開放位置に変位し、下流側通路ＤＲ１へメダルが進入することが許容される。メダルの受付期間とは例えば図４のＳ２の処理中であって、ベット数やクレジットが規定数に達していない場合である。受付期間外ではメダル検出センサ１８が正規メダルを検出しても、アクチュエータ２１を駆動しない。
【０１３１】
ＣＰＵ３０４は、例えば、メダル検出センサ１８が正規メダルを検出してアクチュエータ２１を駆動した後、メダル検出センサ１７がメダルの通過を検出するとアクチュエータ２１を非駆動とする。図２１（ａ）はこの制御例の場合の、回動検出センサ１９、メダル検出センサ１８、変位検出センサ２５、メダル検出センサ１７及びアクチュエータ２１の駆動信号の変化を示すタイミングチャートである。
【０１３２】
正規メダルがメダルセレクタ３３６に進入すると、まず、可動部材１４が回動して回動検出センサ１９がこれを検出する。続いて、メダル検出センサ１８が正規メダルの通過を検出する。メダル検出センサ１８がＯＮになったことを契機としてＣＰＵ３０４は駆動信号をＯＮにする。この結果、可動部材２２が変位してこれが変位検出センサ２５により検出される。メダル検出センサ１７によりメダルの通過が検出されると、これを契機としてＣＰＵ３０４は駆動信号をＯＦＦにする。こうして、アクチュエータ２１のＯＮ・ＯＦＦ制御を行うことができる。
【０１３３】
図２１（ｂ）は非正規メダルが投入された場合の回動検出センサ１９、メダル検出センサ１８、変位検出センサ２５、メダル検出センサ１７及びアクチュエータ２１の駆動信号の変化を示すタイミングチャートである。非正規メダルがメダルセレクタ３３６に進入すると、まず、可動部材１４が回動して回動検出センサ１９がこれを検出する。しかし、メダル検出センサ１８は非正規メダルの通過を検出しないのでＯＦＦのままとなり、ＣＰＵ３０４は駆動信号をＯＦＦのままとする。この結果、可動部材２２が変位しないので変位検出センサ２５もＯＦＦのままで、メダル検出センサ１７もメダルの通過を検出しない。
【０１３４】
なお、アクチュエータ２１のＯＮ・ＯＦＦ制御の他の例として、メダル検出センサ１８がＯＮになったことを契機としてＣＰＵ３０４は駆動信号をＯＮにした後、所定時間の経過後にＯＦＦとしてもよい。所定時間はメダル検出センサ１８と開口部１１ｂとの間の距離及びメダルの平均的な落下速度に応じて設定することができる。
【０１３５】
＜正規メダルの正常投入判定＞
上記の通り、本実施形態では、少なくとも、メダル検出センサ１７でメダルの通過が検出されたことを条件として、投入メダルを正規メダルが投入されたものとして受け付ける。つまり、ベット数のカウントやクレジットのカウントを行う。
【０１３６】
ここで、メダル検出センサ１７の結果のみに基づいて、正規メダルが正常に投入されたか否かを判定してもよいが、メダル検出センサ１８の検出結果も条件としてもよい。図２１（ａ）に示した通り、正規メダルが投入された場合、本実施形態では、メダル検出センサ１８で正規メダルが検出され、その後、メダル検出センサ１７でメダル通過が検出される、というシーケンスとなる。
【０１３７】
そこで、ＣＰＵ３０４は、メダル検出センサ１８により正規メダルが検出され、かつ、メダル検出センサ１７によりメダルが検出された場合（特に、メダル検出センサ１８で正規メダルが検出され、その後、メダル検出センサ１７でメダル通過が検出される、というシーケンスを経た場合）に、正規メダルが１枚、正常に投入されたと判定してもよい。このようにすることで、例えば、不正行為によりメダル検出センサ１７が誤作動したとしても、正規メダルが正常に投入されたと判定されないため、不正行為に対する防衛力を向上できる。
【０１３８】
＜センサの検出結果を利用した不正行為の判定＞
回動検出センサ１９や変位検出センサ２５の検出結果を利用して、ＣＰＵ３０４は不正行為の有無を判定することができる。図２１（ｃ）は不正行為がなされた場合の回動検出センサ１９、メダル検出センサ１８、変位検出センサ２５、メダル検出センサ１７及びアクチュエータ２１の駆動信号の変化を示すタイミングチャートの例である。
【０１３９】
同図の例では、まず、上流側通路ＵＲに不正器具が挿入されて、メダル検出センサ１８を誤作動させている場合を想定している。この場合、可動部材１４が回動したままとなって、回動検出センサ１９がメダルが通過する場合よりも、長時間連続してＯＮになる。よって、この不正行為が行われていることを判定できる。
【０１４０】
また、同図の例では、開口部１１ｂに不正器具が挿入されて選別部２２１が強制的に開放位置に変位された状態となり、メダル検出センサ１７を誤作動させている場合を想定している。この場合、可動部材２２が開放位置に変位したままとなって変位検出センサ２５が駆動信号のＯＮ・ＯＦＦと無関係にＯＮとなる。よって、この不正行為が行われていることも判定できる。
【図１】
2011098116.tif 000003
【図２】
2011098116.tif 000004
【図３】
2011098116.tif 000005
【図４】
2011098116.tif 000006
【図５】
2011098116.tif 000007
【図６】
2011098116.tif 000008
【図７】
2011098116.tif 000009
【図８】
2011098116.tif 000010
【図９】
2011098116.tif 000011
【図１０】
2011098116.tif 000012
【図１１】
2011098116.tif 000013
【図１２】
2011098116.tif 000014
【図１３】
2011098116.tif 000015
【図１４】
2011098116.tif 000016
【図１５】
2011098116.tif 000017
【図１６】
2011098116.tif 000018
【図１７】
2011098116.tif 000019
【図１８】
2011098116.tif 000020
【図１９】
2011098116.tif 000021
【図２０】
2011098116.tif 000022
【図２１】
2011098116.tif 000023
【手続補正書】
【提出日】平成22年11月26日(2010.11.26)
【手続補正１】
【補正対象書類名】特許請求の範囲
【補正対象項目名】請求項１
【補正方法】変更
【補正の内容】
【請求項１】
投入されたメダルが通過するメダル通路を形成すると共に該メダル通路を通過するメダルを検出する通過メダル検出手段を備えたメダルセレクタにおいて、
前記通過メダル検出手段よりも前記メダル通路の上流側に配置され、メダルが前記通過メダル検出手段に到達することを阻害する位置と、許容する位置とで変位可能に設けられた可動部材と、
前記可動部材を変位させる電動アクチュエータと、
前記電動アクチュエータを固定するための金属製のベース部材と、を備え、
前記ベース部材が、
前記メダル通路の一部を形成する通路壁形成部を備えたことを特徴とするメダルセレクタ。
【手続補正２】
【補正対象書類名】明細書
【補正対象項目名】０００６
【補正方法】変更
【補正の内容】
【０００６】
本発明によれば、投入されたメダルが通過するメダル通路を形成すると共に該メダル通路を通過するメダルを検出する通過メダル検出手段を備えたメダルセレクタにおいて、前記通過メダル検出手段よりも前記メダル通路の上流側に配置され、メダルが前記通過メダル検出手段に到達することを阻害する位置と、許容する位置とで変位可能に設けられた可動部材と、前記可動部材を変位させる電動アクチュエータと、前記電動アクチュエータを固定するための金属製のベース部材と、を備え、前記ベース部材が、前記メダル通路の一部を形成する通路壁形成部を備えたことを特徴とするメダルセレクタが提供される。